(57)【要約】【課題】メッセージ付き金封において、簡易且つ低コストで作成でき、地球環境資源保護の面でも好適で、メッセージ等が簡単に印刷可能な金封作成用紙及び金封を提供する。【解決手段】パソコン又はワープロのプリンタに適合する用紙Ａと、用紙Ａに、金封１１の展開図の形状に設けられた第１ミシン目６１とを備え、第１ミシン目６１に沿って切り離されると、金封１１の展開シートＢが形成され、展開シートＢからユーザによって作成される金封１１が展開されると、金封１１の内面１８に印刷されたメッセージ１６が表れるように構成される。【選択図】図７
2012051634.tif 000002
【特許請求の範囲】
【請求項１】
パソコン又はワープロのプリンタに適合する用紙と、
前記用紙に、金封の糊代付き又は糊代無しの展開図の形状に設けられた第１ミシン目とを備え、
前記第１ミシン目に沿って切り離されると、金封の糊代付き又は糊代無しの展開シートが形成され、
前記展開シートからユーザによって作成される金封の完成体であるユーザ作成金封が展開されると、前記ユーザ作成金封の内面に相当する部位に印刷されたメッセージが表れるように構成されていることを特徴とする金封作成用紙。
【請求項２】
前記ユーザ作成金封の裏表紙に相当する部位に、前記ユーザ作成金封を展開させるための切れ目となる第２ミシン目が設けられており、
前記ユーザ作成金封において、前記第２ミシン目に沿って切り離されると、前記第２ミシン目の部位に切れ目が形成され、前記切れ目により前記ユーザ作成金封が展開されるように構成されていることを特徴とする請求項１に記載の金封作成用紙。
【請求項３】
前記ユーザ作成金封に相当する部位に、メッセージカードや賞状として切り離し可能な第３ミシン目が設けられており、
前記ユーザ作成金封において、前記第３ミシン目に沿って切り離されると、前記メッセージが印刷されたメッセージカードや賞状が形成されるように構成されていることを特徴とする請求項１又は請求項２に記載の金封作成用紙。
【請求項４】
前記メッセージは、インターネット上のサーバからダウンロードされたテンプレートに基づいてユーザのパソコン上で作成されて印刷されることを特徴とする請求項１乃至請求項３のうち何れか１つに記載の金封作成用紙。
【請求項５】
金封の内面にメッセージが印刷されており、
前記金封が展開されると前記メッセージが表れるように構成されていることを特徴とする金封。
【請求項６】
前記金封の裏表紙に、前記金封を展開させるための切れ目となる第２ミシン目が設けられており、
前記第２ミシン目に沿って切り離されると、前記第２ミシン目の部位に切れ目が形成され、前記切れ目により前記金封が展開されるように構成されていることを特徴とする請求項５に記載の金封。
【請求項７】
前記金封に、メッセージカードや賞状として切り離し可能な第３ミシン目が設けられており、
前記第３ミシン目に沿って切り離されると、前記メッセージが印刷されたメッセージカードや賞状が形成されるように構成されていることを特徴とする請求項５又は請求項６に記載の金封。
【発明の詳細な説明】
【技術分野】
【０００１】
本発明は、金封でありながら、内面にメッセージを有して折り畳められることにより、金封として使用後は、それ自身メッセージカードとしても使用可能な金封作成用紙及び金封に関する。
【背景技術】
【０００２】
この種の金封として、従来、図９に示すメモリアル金封１０１が知られている（例えば、特許文献１を参照。）。このメモリアル金封１０１は、紙幣等の内容物を被装すべく紙等の適宜素材より折り畳み自在に形成された金封本体１０２と、印刷若しくは水引等の線材により所望形状に形成された結びもの１０３とを備え、金封本体１０２は、少なくとも二つに折り合わされたその見開き面にメッセージカード１０３等の付加価値手段を介して中袋１０５を着脱自在に保持した構成となっている。
【０００３】
このメモリアル金封１０１によれば、金封本体１０２を裏側に折り返す手間が不要になる他、心を込めたメッセージ等と共に金員を贈呈することができる。
【０００４】
ここで、金封とは、一般に、冠婚葬祭において金銭を贈る時に金銭を納める封筒、又は折り紙をいい、祝儀袋，不祝儀袋，熨斗袋，香典袋，お年玉袋等とも呼ばれる。金封は、通常、奉書や檀紙等の和紙製で、用途に応じて水引や熨斗があしらわれる。
【０００５】
金封の種類には、（１）小杉判の紙を長方形に折って作った外袋と斜めに折って作った内袋からなり、様々な色の水引が掛けられる多当折，（２）小杉判の紙を斜めに折り、様々な色の水引が掛けられる大阪折，（３）水引の掛けられない斜め折の白折金封，（４）水引や熨斗が印刷された和封筒からなる印刷金封（熨斗袋），（５）大杉判の紙を折って作った外袋と斜め折の内袋からなる大金封等がある。
【先行技術文献】
【特許文献】
【０００６】
【特許文献１】実用新案登録第３０１７０１５号
【発明の概要】
【発明が解決しようとする課題】
【０００７】
しかしながら、従来のメモリアル金封１０１は、メッセージカード１０３が金封本体１０２に着脱される構成となっているので、金封本体１０２とメッセージカード１０３とを別工程で作成した後、金封本体１０２にメッセージカード１０３を装着又は添付する工程が必要となり、手間やコストがかかるという問題があった。
【０００８】
また、従来のメモリアル金封１０１は、通常の金封よりも、メッセージカード１０３の分だけ多く紙が必要となるので、地球環境資源保護の面では好ましくないという問題があった。
【０００９】
さらに、従来のメモリアル金封１０１は、メッセージカード１０３が中袋１０５を保持する手段を備えており、パーソナルコンピュータ（以下、パソコンという。）やワードプロセッサ（以下、ワープロという。）のプリンタに適合しないので、贈り手側のユーザが、祝福の気持ちを現す文字，イラスト，思い出の写真等を簡単に印刷することができなかった。
【００１０】
そこで、本発明が解決しようとする課題は、メッセージ付き金封において、簡易且つ低コストで作成でき、地球環境資源保護の面でも好適で、パソコンやワープロのプリンタでメッセージ等が簡単に印刷可能な金封作成用紙及び金封を提供することである。
【課題を解決するための手段】
【００１１】
この発明は、前記課題を解決するためになされたもので、請求項１に記載の金封作成用紙は、パソコン又はワープロのプリンタに適合する用紙と、前記用紙に、金封の糊代付き又は糊代無しの展開図の形状に設けられた第１ミシン目とを備え、前記第１ミシン目に沿って切り離されると、金封の糊代付き又は糊代無しの展開シートが形成され、前記展開シートからユーザによって作成される金封の完成体であるユーザ作成金封が展開されると、前記ユーザ作成金封の内面に相当する部位に印刷されたメッセージが表れるように構成されていることを特徴としている。
【００１２】
請求項１に記載の金封作成用紙によれば、パソコン又はワープロのプリンタに適合する用紙に、金封の糊代付き又は糊代無しの展開図の形状に第１ミシン目を設けているので、贈り手側のユーザは、パソコン又はワープロのプリンタで祝福の気持ちを現す文字，イラスト，思い出の写真等のメッセージを印刷することができ、第１ミシン目に沿って切り離して折り畳むことにより、所望するメッセージが印刷された金封を作成することができる。
【００１３】
また、請求項１に記載の金封作成用紙によれば、金封の内面にメッセージが印刷され、金封が展開されるときにそのメッセージが表れる金封を作成できるようになっており、別途メッセージカードを作成して、そのメッセージカードを装着又は添付する工程が不要となるため、簡易且つ低コストで、地球環境資源保護の面でも好ましいメッセージ付き金封を作成することができる。
【００１４】
請求項２に記載の金封作成用紙は、請求項１において、前記ユーザ作成金封の裏表紙に相当する部位に、前記ユーザ作成金封を展開させるための切れ目となる第２ミシン目が設けられており、前記ユーザ作成金封において、前記第２ミシン目に沿って切り離されると、前記第２ミシン目の部位に切れ目が形成され、前記切れ目により前記ユーザ作成金封が展開されるように構成されていることを特徴としている。
【００１５】
請求項２に記載の金封作成用紙によれば、請求項１の効果に加えて、前記ユーザ作成金封の裏表紙に相当する部位に、前記ユーザ作成金封を展開させるための切れ目となる第２ミシン目が設けられているので、贈り手側のユーザは、封着されるタイプの金封であっても、貰い手側のユーザが、第２ミシン目に沿って切り離すことで切れ目が形成され、その切れ目から金封を展開させて内面に印刷されたメッセージを読むことが可能なメッセージ付き金封を作成することができる。
【００１６】
請求項３に記載の金封作成用紙は、請求項１又は請求項２において、前記ユーザ作成金封に相当する部位に、メッセージカードや賞状として切り離し可能な第３ミシン目が設けられており、前記ユーザ作成金封において、前記第３ミシン目に沿って切り離されると、前記メッセージが印刷されたメッセージカードや賞状が形成されるように構成されていることを特徴としている。
【００１７】
請求項３に記載の金封作成用紙によれば、請求項１又は請求項２の効果に加えて、前記ユーザ作成金封に相当する部位に、メッセージカードや賞状として切り離し可能な第３ミシン目が設けられており、贈り手側のユーザは、貰い手側のユーザが、第３ミシン目に沿って切り離すことで、前記メッセージが印刷されたメッセージカードや賞状を取得可能となるメッセージ付き金封を作成することができる。
【００１８】
請求項４に記載の金封作成用紙は、請求項１乃至請求項３のうち何れか１つにおいて、前記メッセージは、インターネット上のサーバからダウンロードされたテンプレートに基づいてユーザのパソコン上で作成されて印刷されることを特徴としている。
【００１９】
請求項４に記載の金封作成用紙によれば、請求項１乃至請求項３のうち何れか１つの効果に加えて、前記メッセージは、インターネット上のサーバからダウンロードしたテンプレートに基づいて、パソコン上で作成して印刷することができるので、メッセージが簡単に作成・印刷可能なメッセージ付き金封を作成することができる。
【００２０】
請求項５に記載の金封は、金封の内面にメッセージが印刷されており、前記金封が展開されると前記メッセージが表れるように構成されていることを特徴としている。
【００２１】
請求項５に記載の金封によれば、金封が展開されるときに内面に予め印刷されたメッセージが表れるので、別途メッセージカードを作成して、そのメッセージカードを装着又は添付する工程が不要となるため、簡易且つ低コストで、地球環境資源保護の面でも好ましいメッセージ付き金封を提供することができる。
【００２２】
請求項６に記載の金封は、請求項５において、前記金封の裏表紙に、前記金封を展開させるための切れ目となる第２ミシン目が設けられており、前記第２ミシン目に沿って切り離されると、前記第２ミシン目の部位に切れ目が形成され、前記切れ目により前記金封が展開されるように構成されていることを特徴としている。
【００２３】
請求項６に記載の金封によれば、請求項５の効果に加えて、前記金封の裏表紙に、前記金封を展開させるための切れ目となる第２ミシン目が設けられているので、封着されるタイプの金封であっても、貰い手側のユーザが、第２ミシン目に沿って切り離すことで切れ目が形成され、その切れ目から金封を展開させて内面に印刷されたメッセージを読むことが可能なメッセージ付き金封を提供することができる。
【００２４】
請求項７に記載の金封は、請求項５又は請求項６において、前記金封に、メッセージカードや賞状として切り離し可能な第３ミシン目が設けられており、前記第３ミシン目に沿って切り離されると、前記メッセージが印刷されたメッセージカードや賞状が形成されるように構成されていることを特徴としている。
【００２５】
請求項７に記載の金封によれば、請求項５又は請求項６の効果に加えて、前記金封に、メッセージカードや賞状として切り離し可能な第３ミシン目が設けられており、貰い手側のユーザが、第３ミシン目に沿って切り離すことで、前記メッセージが印刷されたメッセージカードや賞状を取得可能となるメッセージ付き金封を提供することができる。
【発明の効果】
【００２６】
本発明によれば、メッセージ付き金封において、簡易且つ低コストで作成でき、地球環境資源保護の面でも好適で、パソコンやワープロのプリンタでメッセージ等が簡単に印刷可能な金封作成用紙及び金封を提供することができる。
【図面の簡単な説明】
【００２７】
【図１】本発明に係る金封の第１実施例を示す図であって、（Ａ）正面図、（Ｂ）背面図である。
【図２】本発明に係る金封の第１実施例を示す図であって、（Ａ）金封の表面側の展開図、（Ｂ）金封の内面側の展開図である。
【図３】本発明に係る金封の第２実施例を示す図であって、（Ａ）正面図、（Ｂ）背面図である。
【図４】本発明に係る金封の第２実施例を示す図であって、（Ａ）金封の表面側の展開図、（Ｂ）金封の内面側の展開図である。
【図５】本発明に係る金封の第３実施例を示す図であって、（Ａ）金封の表面側の展開図、（Ｂ）金封の内面側の展開図である。
【図６】本発明に係る金封の第２実施例又は第３実施例の展開方法の説明に供する図であって、（Ａ）展開の初期段階、（Ｂ）展開の中間段階、（Ｃ）展開の終期段階を示す図である。
【図７】本発明に係る金封作成用紙の一実施形態を示す平面図である。
【図８】本発明に係る金封作成用紙の他の実施形態を示す平面図である。
【図９】従来のメモリアル金封の構成の説明に供する図である。
【発明を実施するための形態】
【００２８】
以下、本発明を適用した具体的な実施の形態について、図面を参照しながら詳細に説明する。本発明は、例えば、図１又は図２に示すような構成の金封１，図３又は図４に示すような構成の金封１１，図５に示すような構成の金封２１に適用される。また、本発明は、例えば、図７に示すような構成の金封作成用紙５１，図８に示すような構成の金封作成用紙７１に適用される。
【実施例１】
【００２９】
先ず、図１又は図２を参照して、金封１の構成について説明する。この金封１は、和紙，合成紙，不織布等の適宜素材からなり、図１又は図２に示すように、表紙２と、表紙２に連接し、表紙２の裏面側に表紙２と重なるようにして折り返される裏表紙３と、裏表紙３の端縁部に、表紙２と裏表紙３との間に折り込まれる折込み部７と、裏表紙３を覆う方向に折り返される上部折返し部４及び下部折返し部５とを備える。
【００３０】
本発明において特徴とするところは、金封１の内面８にメッセージ６が印刷されており、金封１が展開されるとメッセージ６が表れるように構成されている点である。
【００３１】
メッセージ６は、例えば、「ご成人おめでとう。これまで育てていただいた、ご両親に感謝されると共に、今後、社会人としての責任を果たし、大きく飛躍されることを祈ります。」等の祝福の気持ちを現す文字（文章），イラスト，思い出の写真等であればよく、特に限定されない。
【実施例２】
【００３２】
次に、図３又は図４を参照して、金封１１の構成について説明する。この金封１１は、和紙，合成紙，不織布等の適宜素材からなり、図３又は図４に示すように、表紙１２と、表紙１２に連接し、表紙１２の裏面側に表紙１２と重なるようにして両サイドから折り返され、糊代１５ａを介して封着されて一体の裏表紙１３を形成する裏表紙１３ａ，１３ｂと、裏表紙１３の全面に逆さＴ字の形状に設けられた第２ミシン目１９と、裏表紙１３を覆う方向に折り返される上部折返し部１４と、裏表紙１３の下部を封緘する糊代１５ｂとを備える。
【００３３】
本発明において特徴とするところは、下部が封緘された構造を有しながら、裏表紙１３の全面に逆さＴ字の形状に第２ミシン目１９を設けたことにより、図６に示すように、金封１１が展開されるように構成されている点、及び、金封１１の内面１８にメッセージ１６が印刷されており、金封１１が展開されるとメッセージ１６（実施例１と同様のため説明省略。）が表れるように構成されている点である。
【００３４】
第２ミシン目１９は、縦方向には例えば３ｍｍ幅で２本設けられており、図６（Ａ）に示すように、３ｍｍ幅ミシン目部を上端から下部に向かって切り離していくと、裏表紙１３の縦中央部に３ｍｍ幅の切れ目４１が形成され、切れ目４１が下端まで達すると、図６（Ｂ）に示すように、下部に設けられたミシン目に沿って左右に切り離すことが可能となり、全ての切り離しが完了すると、図６（Ｃ）に示すように、金封１１の裏表紙１３が全て全開するようになっている。
【００３５】
なお、本実施例では、第２ミシン目１９を裏表紙１３の全面に逆さＴ字の形状に設けているが、縦方向のミシン目の位置は、中央に限定されず、左右にずれていてもよく、例えば第２ミシン目１９がＬ字になっていてもよい。
【実施例３】
【００３６】
次いで、図５を参照して、金封２１の構成について説明する。この金封２１は、和紙，合成紙，不織布等の適宜素材からなり、図５に示すように、表紙２２と、表紙２２に連接し、表紙２２の裏面側に表紙２２と重なるようにして両サイドから折り返され、糊代２５ａを介して封着されて一体の裏表紙２３を形成する裏表紙２３ａ，２３ｂと、裏表紙２３の全面に逆さＴ字の形状に設けられた第２ミシン目２９と、裏表紙２３を覆う方向に折り返される上部折返し部２４と、裏表紙２３の下部を封緘する糊代２５ｂとを備える。
【００３７】
本発明において特徴とするところは、下部が封緘された構造を有しながら、裏表紙２３の全面に逆さＴ字の形状に第２ミシン目２９を設けたことにより、図６に示すように、金封２１が展開されるように構成されている点、及び、金封２１の内面２８にメッセージ２６が印刷されており、金封２１が展開されるとメッセージ２６（実施例１と同様のため説明省略。）が表れるように構成されている点、並びに、金封２１に第３ミシン目３０を設けたことにより、メッセージカードや賞状として切り離すことができるように構成されている点である。
【００３８】
第２ミシン目２９は、縦方向には例えば３ｍｍ幅で２本設けられており、図６（Ａ）に示すように、３ｍｍ幅ミシン目部を上端から下部に向かって切り離していくと、裏表紙２３の縦中央部に３ｍｍ幅の切れ目４１が形成され、切れ目４１が下端まで達すると、図６（Ｂ）に示すように、下部に設けられたミシン目に沿って左右に切り離すことが可能となり、全ての切り離しが完了すると、図６（Ｃ）に示すように、金封２１の裏表紙２３が全て全開するようになっている。
【００３９】
第３ミシン目３０は、メッセージカードや賞状の形状に応じて、金封２１の対応部位に設けられるが、なるべく表紙２２にかからないようにする。
【実施例４】
【００４０】
続いて、図７を参照して、金封作成用紙５１の構成について説明する。この金封作成用紙５１は、和紙，合成紙，不織布等の適宜素材からなり、図７に示すように、パソコン又はワープロのプリンタに適合する例えばＡ４サイズ（ＪＩＳ規格）の用紙Ａと、用紙Ａに、金封の糊代付きの展開図の形状に設けられた第１ミシン目６１とを備える。
【００４１】
第１ミシン目６１に沿って切り離すと、金封の糊代付きの展開シートＢが形成されるように構成されている。
【００４２】
展開シートＢは、金封１，１１，２１の何れかに対応しており、本実施例では、展開シートＢから金封１１が作成できる。
【００４３】
展開シートＢは、例えば、表紙１２に対応する表紙５２と、裏表紙１３ａ，１３ｂに対応する裏表紙５３ａ，５３ｂと、糊代１５ａに対応する糊代５５ａと、第２ミシン目１９に対応する第２ミシン目５９と、上部折返し部１４に対応する上部折返し部５４と、糊代１５ｂに対応する糊代５５ｂとを備える。
【００４４】
また、展開シートＢは、折り返し箇所となる、表紙５２と上部折返し部５４との境界，表紙５２と裏表紙５３ａ，５３ｂとの境界，表紙５２と糊代５５ｂとの境界に、折り易くするための折り筋６２が設けられている。
【実施例５】
【００４５】
最後に、図８を参照して、金封作成用紙７１の構成について説明する。この金封作成用紙７１は、和紙，合成紙，不織布等の適宜素材からなり、図８に示すように、パソコン又はワープロのプリンタに適合する例えばＡ４サイズ（ＪＩＳ規格）の用紙Ａから２つの金封１１が作成できるように、実施例４と同様な展開シートＢが２つ設けられている。したがって、本実施例によれば、同一デザインの金封１１を２つ、又は、異なるデザインの２種類の金封１１を一度に作成することができる。
【００４６】
展開シートＢの構成については、実施例４の展開シートＢの構成と同様であるため、実施例４と同じ符号（図８を参照。）を付して、ここでは詳しい説明を省略する。
【００４７】
次に、金封作成用紙５１，７１の使用方法について説明する。贈り手側ユーザは、インターネット上で、金封販売業者のホームページにアクセスして同ホームページにあるテンプレートの一覧から使用目的に合致する形式のテンプレートをダウンロードして自身のパソコンに取り込む。
【００４８】
そして、贈り手側ユーザは、例えば図４（Ｂ）に示すように、パソコンに取り込んだテンプレートに適宜修正をしながら追加事項を入力してメッセージ１６を作成し、金封作成用紙５１をパソコン又はワープロのプリンタにセットして印刷する。
【００４９】
贈り手側ユーザは、金封作成用紙５１，７１から第１ミシン目６１に沿って切り離して展開シートＢを形成し、メッセージ１６が内側に隠れるように展開シートＢを折り畳み、適宜糊付けして金封１１を作成する。金員を金封１１の内側に収めた後、上部折返し部１４を裏側に折り返し適宜封緘する。
【００５０】
貰い手側ユーザは、金員を取り出した後、第２ミシン目１９の３ｍｍ幅ミシン目部を上端から下部まで切り離し、下部に設けられた第２ミシン目１９のミシン目に沿って左右に切り離しながら裏表紙１３ａ，１３ｂを左右に開くと、内面１８に印刷されたメッセージ１６を見ることができる。
【００５１】
なお、本発明は前述した実施の形態のみに限定されるものではなく、本発明の要旨を逸脱しない範囲において種々の変更が可能であることは勿論である。
【符号の説明】
【００５２】
１，１１，２１  金封
５１，７１  金封作成用紙
２，１２，２２，５２  表紙
３，１３，２３，５３  裏表紙
４，１４，２４，５４  上部折り返し部
５  下部折り返し部
６，１６，２６  メッセージ
７  折込み部
８，１８，２８  内面
１５，２５，５５  糊代
６１  第１ミシン目
６２  折り筋
１９，２９，５９  第２ミシン目
３０  第３ミシン目
４１  切れ目
Ａ  用紙
Ｂ  展開シート
１０１  メモリアル金封
１０２  金封本体
１０３  メッセージカード
１０５  中袋
【図７】
2012051634.tif 000003
【図８】
2012051634.tif 000004
【図９】
2012051634.tif 000005
【図１】
2012051634.tif 000006
【図２】
2012051634.tif 000007
【図３】
2012051634.tif 000008
【図４】
2012051634.tif 000009
【図５】
2012051634.tif 000010
【図６】
2012051634.tif 000011